(57)【要約】【課題】光学式ピックアップより発生する熱量を少なくすることが出来る電源制御回路を提供する。【解決手段】ディスクに信号を記録するレーザー光を放射するレーザーダイオード６に駆動電流を供給する駆動素子７と、該駆動素子７の動作を制御するべくその制御電極に記録信号に応じた制御信号を印加するレーザー駆動制御回路１０が組み込まれている光学式ピックアップにおいて、駆動素子７に供給される電源をレーザー駆動制御回路１０に供給される電源と異なる電源回路より供給する。【選択図】　　図１
2004047010.tif 000002
【特許請求の範囲】
【請求項１】
ディスクに信号を記録するレーザー光を放射するレーザーダイオード、該ダイオードに駆動電流を供給する駆動素子と、該駆動素子の動作を制御するべくその制御電極に記録信号に応じた制御信号を印加するレーザー駆動制御回路が組み込まれている光学式ピックアップにおいて、駆動素子に供給される電源をレーザー駆動制御回路に供給される電源と異なる電源回路より供給するようにしたことを特徴とする光学式ピックアップの電源制御回路。
【請求項２】
前記駆動素子に供給される駆動電圧を前記レーザー駆動制御回路に供給される駆動電圧より低くしたことを特徴とする請求項１に記載の電源制御回路。
【請求項３】
駆動素子に供給される電源電圧を調整可能にしたことを特徴とする請求項１に記載の電源制御回路。
【発明の詳細な説明】
【０００１】
【発明の属する技術分野】
本発明は、ディスクに記録されている信号の読み出し動作及び該ディスクへの信号の記録動作を光学的に行う光学式ピックアップに関し、特に電源を制御する電源制御回路に係る。
【０００２】
【従来の技術】
光学式ピックアップを用いてディスクに記録されている信号の読み出し動作を行うディスクプレーヤーが普及しているが、最近では、再生機能に加えて光学式ピックアップより照射されるレーザー光によってディスクに信号を記録することが出来るように構成された光ディスク記録再生装置が商品化されている。
【０００３】
斯かる光ディスク記録再生装置では、レーザー光によってディスク上にピットを形成させることによって記録動作を行うように構成されているため、記録動作を行うレーザー光の出力は再生動作を行うレーザー光の出力と比較して大きくなる。そして、ディスクへの信号の記録動作を高速にて行う場合には、レーザー光の出力が記録速度の上昇に応じて大きくなる。
【０００４】
【発明が解決しようとする課題】
レーザー光の出力を大きくすると光学式ピックアップに組み込まれているレーザーダイオードに流れる電流が大きくなるので、発熱量が大きくなる。発熱量が大きくなると、該光学式ピックアップ自体の特性に悪影響があるだけでなく、光ディスク記録再生装置の記録特性に対しても悪影響を与えることになる。
【０００５】
光学式ピックアップより発生する熱による影響を抑えるために従来では、光学式ピックアップに放熱板等の放熱手段を設けていたが、記録動作の高速化に伴って放熱処理だけでは対処出来ない状況になっている。
【０００６】
本発明は、斯かる問題を解決することが出来る電源制御回路を提供しようとするものである。
【０００７】
【課題を解決するための手段】
本発明は、ディスクに信号を記録するレーザー光を放射するレーザーダイオード、該ダイオードに駆動電流を供給する駆動素子と、該駆動素子の動作を制御するべくその制御電極に記録信号に応じた制御信号を印加するレーザー駆動制御回路が組み込まれている光学式ピックアップにおいて、駆動素子に供給される電源をレーザー駆動制御回路に供給される電源と異なる電源回路より供給するように構成されている。
【０００８】
【実施例】
図１は本発明に係る電源制御回路の一実施例を示す回路図である。同図において、１はコンピューター等から供給される電源を光ディスク記録再生装置に組み込まれている各回路に供給する電源回路、２はディスクを回転駆動するスピンドルモーターの回転動作を制御するスピンドルモーターであり、前記電源回路１より電源が供給されるように構成されている。
【０００９】
３はコンピューター等から出力される記録信号が入力される記録信号入力端子、４は該記録信号入力端子３より入力される記録信号をディスクに記録するためにエンコード処理する信号記録用回路であり、前記電源回路１より動作電源が供給されるように構成されている。
【００１０】
５は光学式ピックアップであり、レーザーダイオード６より放射されるレーザー光をディスクの信号面に設けられている信号トラックに照射させる対物レンズや該対物レンズの位置を変位させるトラッキングコイルやフォーカシングコイルが組み込まれている。
【００１１】
７は前記光学式ピックアップ５内に設けられている印刷配線基板に組み込まれているとともに前記レーザーダイオード６に駆動電流を供給する駆動素子であり、例えば電界効果型トランジスターにて構成されている。８は前記駆動素子７を構成する電源接続電極と第１電源端子９との間に挿入接続されている抵抗、１０は前記光学式ピックアップ５内に設けられている印刷配線基板に組み込まれているとともに前記信号記録用回路４より出力される記録信号が入力端子１１を通して入力されるレーザー駆動制御回路であり、記録信号に応じた制御信号を前記駆動素子７の制御電極に印加させるように接続されている。１２は前記レーザー駆動制御回路１０に動作電源を供給する第２電源端子１２であり、前記電源回路１より出力される電源が供給されるように構成されている。
【００１２】
１３は前記電源回路１より供給される電源電圧を所望の電源電圧にする電源電圧制御回路であり、その出力は前記光学式ピックアップ５に設けられている第１電源端子９に供給するように接続されている。１４は光ディスク記録再生装置の各種の動作を制御するシステム制御回路であり、前記電源電圧制御回路１３の出力電圧をモニターし、出力電圧を所望の電圧になるように該電源電圧制御回路１３の動作を制御するように構成されている。
【００１３】
斯かる構成において、レーザーダイオード６を発光させる駆動電流は駆動素子７を通して供給されるが、その駆動素子７による供給動作はレーザー駆動制御回路１０によって制御される。そして、レーザーダイオード６の発光動作に伴う発熱の量は、レーザー駆動制御回路１０と比較してレーザーダイオード６及び駆動素子７から発生する量の方が大きくなる。
【００１４】
本発明では、レーザーダイオード６に供給される駆動電圧を記録動作を行うために必要な発光出力を得るために必要な最小電圧になるように電源電圧制御回路１３によって制御されるように構成されている。即ち、レーザーダイオード６を発光させる駆動電流を供給する駆動素子７への電源は、第１電源端子９より供給され、前記駆動素子７の動作を制御するレーザー駆動制御回路１０への電源は、第２電源端子１２より供給されるように構成されているため、第１電源端子９へ供給される電源電圧の値を自由に調整することが出来る。そして、ディスクを回転させるスピンドルモーターを駆動するスピンドルモーター駆動回路２への電源供給動作や記録信号のエンコード処理を行うべく設けられている信号記録用回路４への電源供給動作は、電源回路１より行われるように構成されている。
【００１５】
従って、レーザーダイオード６への駆動電流の供給動作は、その他の回路への電源供給動作とは独立して行うことが出来るので、電源供給動作を効率良く行うことが出来、それ故発熱量を必要最小限に抑えることが出来る。そして、前記レーザーダイオード６への駆動電流の供給端子である第１電源端子９へ電源電圧を供給するべく設けられている電源電圧制御回路１３より出力される電圧をモニターすることによってその出力電圧を調整するようにしたので、ディスクへの記録動作を行うために最適なレーザー出力を得ることが出来る。
【００１６】
【発明の効果】
本発明は、ディスクに信号を記録するレーザー光を放射するレーザーダイオード、該ダイオードに駆動電流を供給する駆動素子と、該駆動素子の動作を制御するべくその制御電極に記録信号に応じた制御信号を印加するレーザー駆動制御回路が組み込まれている光学式ピックアップにおいて、駆動素子に供給される電源をレーザー駆動制御回路に供給される電源と異なる電源回路より供給するようにしたので、必要な電源電圧を得るための調整を容易に行うことが出来る。
【００１７】
また、本発露名は、駆動素子に供給される駆動電圧をレーザー駆動制御回路に供給される駆動電圧より低くしたので、レーザーダイオードを駆動する素子からの発熱を抑えることが出来る。
【００１８】
そして、本発明は、駆動素子に供給される電源電圧を調整可能にしたので、記録動作を行うために必要な最小限の電圧をレーザーダイオードに供給するように調整することが可能となり、発熱量を抑える効果が非常に大である。
【図面の簡単な説明】
【図１】本発明に係る電源制御回路の一実施例を示す回路図である。
【符号の説明】
１　　　　電源回路
５　　　　光学式ピックアップ
６　　　　レーザーダイオード
７　　　　駆動素子
９　　　　第１電源端子
１０　　　　レーザー駆動回路
１２　　　　第２電源端子
１３　　　　電源電圧制御回路
１４　　　　システム制御回路
【図１】
2004047010.tif 000003